(57)【要約】      （修正有） 【課題】御守体を、紙を折って成形した収納体に入れた御守を提供する。【解決手段】紙を折って、横長の長方形を成形し、該形状から両端を所定の位置で斜めに折り曲げて外郭が五角形の収納体１１を成形する。そして、いったん元に戻して収納体の中に御守体を入れ、再度折り直す。また、用途に応じて御守１の収納体に願い事記載欄や該長方形の両端が折り重なった五角形の頂点付近に貫通穴２を設ける。【選択図】図１
0003158622.tif 000002
【実用新案登録請求の範囲】
【請求項１】
御守体を、紙を折って成形した収納体に入れた御守において、
該収納体は、紙を折って横長の長方形に成形した状態から、該長方形の両端を所定の位置で斜めに折り曲げて外郭を五角形としたことを特徴とする御守。
【請求項２】
収納体に願い事記載欄を設けていることを特徴とする請求項１に記載の御守。
【請求項３】
長方形の両端が重なり合った五角形の頂点付近に貫通穴を設けた構造になっていることを特徴とする請求項１〜２のいずれか1項に記載の御守。
【考案の詳細な説明】
【技術分野】
【０００１】
本考案は、御守体を、紙を折って成形した収納体に入れた御守に関する。
【背景技術】
【０００２】
従来、御守は、御守体を布袋に入れた物が主流であり、該布袋の表面の見せ方や生地に工夫を凝らした考案が確認できる。
また、袋に入ってなくとも、お札や成形物を御守として販売されているもの等がある。
ここで、「御守体」とは、御守の収容物のことであり、例えば、石、紙、米・塩等の食物、木、金属、形成物、又はこれらに文字や図形等が施されていれば良く特に限定しないものとする。
【特許文献１】実願２００７−５８２３
【考案の開示】
【考案が解決しようとする課題】
【０００３】
しかしながら、従来の御守では面白みが無く、多角形の御守袋や成形物を形成する場合には、手間やコストが掛かっていた。
【０００４】
本考案は、上記の問題点に斯かる実情に鑑みなされたもので、安価で簡単に作成できる御守を提供することを課題とする。
【課題を解決するための手段】
【０００５】
請求項１に記載の考案は、御守体を、紙を折って成形した収納体に入れた御守において、該収納体は、紙を折って横長の長方形に成形した状態から、該長方形の両端を所定の位置で斜めに折り曲げて外郭を五角形としたことを特徴とする御守。
【０００６】
請求項２に記載の考案は、該収納体に願い事記載欄を設けていることを特徴とする。
【０００７】
請求項３に記載の考案は、該長方形の両端が重なり合った五角形の頂点付近に貫通穴を設けた構造になっていることを特徴とする。
【考案の効果】
【０００８】
本考案によれば、紙を折ることで簡単に五角形の御守を成形でき、御守体の出し入れも容易で、付加的には該御守の形状より「合格」、「ご縁」等の意味付けと共に利用することが出来る。
【０００９】
また、御守の収納体に願い事記載欄を設けることにより、祈願内容をオリジナルで考えて書き込める。
【００１０】
貫通穴を設けて例えば紐で結べば、折り重なった部分が開きにくくなり、吊下げれば、絵馬的な使用も可能となる。
【００１１】
更に、斜めに折り曲げる一方の方向を逆向きにしたり、両端を重ねる順序を変えたり、一方の端をもう一方の開口部に挟み込むことでも折り目の見え方を変えることができる。
【考案を実施するための最良の形態】
【００１２】
紙を折って、横長の長方形を形成し、該形状から両端を所定の位置で斜めに折り曲げて外郭が五角形の収納体を形成する。そして、いったん元に戻して収納体の中に御守体を入れ、再度折り直す。また、用途に応じて御守の収納体に願い事記載欄を設けても良いし、該長方形の両端が折り重なった五角形の頂点付近に貫通穴を設けても良い。
【実施例１】
【００１３】
以下、図面を参照して本考案に係る御守の一実施例を説明する。
図１は、折り曲げて形成した御守の完成体の正面図であり、図２は、折り曲げて形成した御守の完成体の背面図である。
【００１４】
まず、紙を図５のように展開図５の状態から巻き折りにして横長の長方形を形成し、該長方形の両端の内、片端を斜めに谷折りにし、もう片方の端を同様に斜めに谷折りにし、重ね合わせた外郭形状が正面から見て略正五角形になるよう収納体１１を形成する。
【００１５】
このとき、実施例では、横長の長方形において、開く方を下に向けていることで、一方の端をもう一方の開口部に挟み込むことが可能であるが、反対に、上に向けた状態で折る場合、一方の端をもう一方の開口部に挟み込むことが出来ない点に注意する。
【００１６】
次に、貫通穴２を開ける場合は、上説のように重ね合わせた状態で、その頂点付近に設ける。
【００１７】
最後に、該折って成形した略正五角形の収納体１１をいったん元に戻して、御守体４が巻き折りにより出来た折り目と折り目の間に位置し、且つ両端を斜めに折った際に出来た折り目６と折り目６の中間に位置するよう収納し、再度折り直して貫通穴２より例えば紐やチェーンを通して結んで御守１を完成させる。
【００１８】
このようにして、収納体１１に御守体４が入った様子を示す透視図が図４である。
【００１９】
ここで、上説中の「巻き折り」とは、折り目の線９が内側に隠れてしまうように折る「谷折り」を繰り返した折り方のことであり、「山折り」とは、折り目の線９が外側になるように折ることである。
【００２０】
実施例では、横長の長方形を形成するために、２回「谷折り」をしているが、図５は、展開図５と折り順の一例を示した図であり、３回以上折って横長の長方形を形成しても構わないし、その時の「谷折り」又は「山折り」の折順も特に限定しない。
【００２１】
なお、１回の「谷折り」で横長の長方形を形成し、開く方を上に向けて両端を折って五角形の収納体１１を形成する場合、御守体が４入った収納体１１の上側は口が開いたままとなるので、御守体４が飛び出ないように注意する。
【００２２】
そして、「御守体」とは、御守の収容物のことであり、例えば、石、紙、米・塩等の食物、木、金属、成形物、又はこれらに文字や図形等が施されていれば良く特に限定しない。おみくじ等を「御守体」としても構わない。
【００２３】
また、略正五角形にするには、斜めに折る時の内角７を１０８度にすることが望ましいが、図７のように斜めに折る時の内角７を変えた五角形でも構わない。
【００２４】
更に、願い事記載欄３を設ける場合は、該記載欄は、図３のように、横長の長方形から両端を斜めに折った際に出来る折り目６と折り目６の間に位置するよう設けるのが望ましいが、該記載欄をどの位置にするかは、特に限定しないし、折り重ねると該記載欄が完成するよう先に展開図の状態で印刷しておくか、完成した状態で絵付けまたはスタンプを押しても良い。
【００２５】
また、図柄８や文字等を施す場合も、該図柄等をどの位置にするかは、特に限定しないし、折り重ねると該記載欄が完成するよう先に展開図の状態で印刷しておくか、完成した状態で絵付けまたはスタンプを押しても良い。
【００２６】
なお、図２は、横長の長方形に折った紙の両端を共に谷折りし、左端が上に重なった背面図であるが、逆に右側が上に重なるようにすれば、重なることで見える折り目１０の向きが変わり、また、両端の内、一方の端を谷折り、もう一方の端を山折りにすれば、正面と背面の、重なることで見える折り目が共に１本となり、その変化を楽しむことが出来る。
【００２７】
以上説明したように、好ましい実施例を挙げて本考案を説明したが、本考案はその実施例に限定されるものではなく、本考案の要旨の範囲内で種々に改変できる。
【図面の簡単な説明】
【００２８】
【図１】本考案に係る御守の完成体の正面図である。
【図２】本考案に係る御守の完成体の背面図である。
【図３】本考案に係る御守の表面に願い事記載欄を設けた図である。
【図４】本考案に係る御守の収納体に御守体が入った様子を示す透視図である。
【図５】本考案に係る御守の展開図と折り順の一例を示した図である。
【図６】本考案に係る御守の表面に図形を施した図である。
【図７】本考案に係る御守の斜めに折る時の内角を変えた五角形の御守の完成体図である。
【符号の説明】
【００２９】
１  御守
２  貫通穴
３  願い事記載欄
４  御守体
５  展開図
６  折り目
７  内角
８  図柄
９  折り目の線
１０  重なることで見える折り目
１１  収納体
【図１】
0003158622.tif 000003
【図２】
0003158622.tif 000004
【図３】
0003158622.tif 000005
【図４】
0003158622.tif 000006
【図５】
0003158622.tif 000007
【図６】
0003158622.tif 000008
【図７】
0003158622.tif 000009